(57)【特許請求の範囲】
【請求項１】
横架させた２本のアーム間に不透根シートを断面Ｕ字型に弛ませて栽培ベットを形成すると共に該ベット内に培地を装填し、
該栽培ベットの下方を防水性を備えた外層シートで囲繞させて気層空間を形成すると共に、該栽培ベット内にボイラーに連結した温湯循環用パイプを配設し、
該ベッドの上方に、ホース本体の外側に穿った取水口からジグザグ型の通路を形成すると共に終端に排水口を穿設する点滴部を形成した培養液を滴下させる為の送液管を配設すると共に、毛管現象にて培養液を拡散させる浸潤性シートを培地上面及び下面に敷設し、
該培地下面に敷設した浸潤性シートと組み合わせて、外層シート上で培養液が貯留する箇所に向けて吸水布を垂下させたことを特徴とするいちご栽培装置。
【請求項２】
横架させた２本のアーム間に不透根シートを断面Ｕ字型に弛ませて栽培ベットを少なくとも２個以上形成すると共に該ベット内に培地を装填し、
該２個以上の栽培ベットの下方を囲繞させて防水性を備えた外層シートを配して気層空間を形成すると共に、該栽培ベット内にボイラーに連結した温湯循環用パイプを配設し、
該ベッドの上方に、ホース本体の外側に穿った取水口からジグザグ型の通路を形成すると共に終端に排水口を穿設する点滴部を形成した培養液を滴下させる為の送液管を配設すると共に、毛管現象にて培養液を拡散させる浸潤性シートを培地上面及び下面に敷設し、
該培地下面に敷設した浸潤性シートと組み合わせて、外層シート上で培養液が貯留する箇所に向けて吸水布を垂下させたことを特徴とするいちご栽培装置。
【発明の詳細な説明】
【０００１】
【発明の属する技術分野】
本発明は、いちご等を栽培する為の栽培装置に関し、更に詳細には、培養液の使用量を可及的に少量とし、又、排水の量を零とする環境汚染の少ない栽培装置を提供するものである。
【０００２】
【従来の技術】
いちご栽培は、生産性の向上や、省力化、及び収穫時の摘み取り姿勢の矯正等の作業環境の改善等を図る為に、ベットを一定の高さに上げて栽培する方式（高架式）の開発が急務となっているが、ベットを上に上げると地熱の供給がないので夜間等の冷気で培地の温度が下がり易いという欠点を有している。そこで、冬期の安定生産の為に培地の加温が不可欠で、この解決策として温湯を循環させるパイプを培地内に設置しているのが一般的である。
具体的には、図５に示す如く断面コの字型の箱体を発泡スチロール、合成樹脂、アルミニウム等で形成し、箱体に培地を充填すると共にそこに温湯循環用のパイプを通し、互いに外周を不透根シートで覆った後、下部に排水溝を刻んで余剰な培養液を廃棄処分している。
【０００３】
しかし、このような従来装置では、培地の上に設けたパイプから培養液を放水するタイプなので、ポンプとの距離が近いか遠いかによって散水量が異なってくると共に、その過剰分が余剰液を作り出し、多分の余剰液が土壌や河川に流れ出すと土壌の汚染や河川、海の富栄養化等の環境汚染問題を惹起する原因となる。
【０００４】
【発明が解決しようとする課題】
本発明は、上記実情に基づいてなされたもので、今後問題化されるであろう余剰液による環境汚染問題を未然に解消することを主たる課題として本発明を完成させたものである。
【０００５】
【課題を解決するための手段】
本発明いちご栽培装置は、横架させた２本のアーム間に不透根シートを断面Ｕ字型に弛ませて栽培ベットを形成すると共に該ベット内に培地を装填し、該栽培ベットの下方を防水性を備えた外層シートで囲繞させて気層空間を形成すると共に、該栽培ベット内にボイラーに連結した温湯循環用パイプを配設し、該ベッドの上方に、ホース本体の外側に穿った取水口からジグザグ型の通路を形成すると共に終端に排水口を穿設する点滴部を形成した培養液を滴下させる為の送液管を配設すると共に、毛管現象にて培養液を拡散させる浸潤性シートを培地上面及び下面に敷設し、該培地下面に敷設した浸潤性シートと組み合わせて、外層シート上で培養液が貯留する箇所に向けて吸水布を垂下させて構成される。
【０００６】
第二の発明は、横架させた２本のアーム間に不透根シートを断面Ｕ字型に弛ませて栽培ベットを少なくとも２個以上形成すると共に該ベット内に培地を装填し、該２個以上の栽培ベットの下方を囲繞させて防水性を備えた外層シートを配して気層空間を形成すると共に、該栽培ベット内にボイラーに連結した温湯循環用パイプを配設し、該ベッドの上方に、ホース本体の外側に穿った取水口からジグザグ型の通路を形成すると共に終端に排水口を穿設する点滴部を形成した培養液を滴下させる為の送液管を配設すると共に、毛管現象にて培養液を拡散させる浸潤性シートを培地上面及び下面に敷設し、該培地下面に敷設した浸潤性シートと組み合わせて、外層シート上で培養液が貯留する箇所に向けて吸水布を垂下させたことを特徴とするいちご栽培装置。
【０００７】
【実施態様】
培地幅に適した間隔で、鉄パイプの二本のアーム１を架設し、そこに断面略Ｕ字形となるよう弛ませてベットシート２を渡し、左右端部を巻き付けて固定し、そこに培地３を充填して栽培ベッド４を形成する。該シート２の固定には、シート端末とアームとを固定用のパッカーで止めるか、或いは、シート端末を袋状に縫い合わせる等する。
該ベッドシート２には、不透根シートを用いるのが一般的で、該不透根シートとは、水及び空気が透過可能であるが、毛根、土砂等は通さないよう網目を形成したものをいい、不織布又は織布がある。このシートで形成されたＵ字方の中に培地３を充填して栽培ベッド４を構成する。
【０００８】
該培地３には、従来ロックウールとするのが一般的であるが、これは保水性に優れる一方で、空隙性に乏しいので根腐れを起こし易く、又、廃棄にあっては、腐敗性がないので処理が困難であるという欠点を持っていた。
そこで本発明では、杉の皮を乾燥させて細かくしたクリプトモスにパーライトを混入させたものを培地３とした。
この培地３は、保水性と空隙性のバランスに秀れ、生育結果を示すと表１の通りとなった。
【表１】
0003841984.tif 000002
即ち、クリプトモスにパーライト３０％混合のものは、５５４．８ｇ／株及び５６１．８ｇ／株で、従来のロックウールの可販果収量が合計で４６９．３ｇ／株であるのに対し、１７％以上の収量の増加をもたらすことが判明した。
【０００９】
次に、図１に示す如く、上記栽培ベット４の下方を外層シート５で囲繞させて気層空間６を形成する。
即ち、前記栽培ベッド４の下部に外層シート５を、ベッドシート２と同様二本のアームに断面略Ｕ字形となるよう且つベッドシート２より更に弛ませてシートを渡し、左右端部を巻き付けて固定し、該栽培ベッド４と外層シート５との間に気層空間６を形成する。
該外層シート５は、少なくとも防水性を備え、望ましくは、断熱性及び遮光性に優れた素材を用い、例えば、高密度ポリエチレンと低密度ポリエチレンの二層構造のシートとする。
【００１０】
そして、該栽培ベット４の一部、例えば、中央部に温湯循環用パイプ７を配設し、該パイプ７にはボイラーを連結する（図示省略）。
該温湯循環用パイプ７には、従来の温湯循環用パイプがそのまま使用できる。
【００１１】
又、栽培ベット４は、一個のものでも良いが、図示の如く、栽培ベット４を２個並べ、該栽培ベットの下方を囲繞させて外層シート２を配して気層空間６を形成する二連式とすることもでき、更に該栽培ベットを３個以上並べて多連式とすることもできる。
【００１２】
次に、培地への養液の均一分散及び後述の余剰水の抑制を図る目的で、該栽培ベッド４の上に給液管を配し、その一部に孔を穿設し、培養液を滴下させ、その下に浸潤性シート８を配する。
該浸潤性シート８とは、滴下した液を毛管作用で繊維方向に浸透させていく性能を有するシートをいい、例えばポリエステルの長繊維を不織布としたものがある。
該シート８は、培地の上に敷設する態様と、培地の下に敷設する態様とがあり、上側に敷設する場合は、ベッド幅いっぱいに敷設するのが望ましいが、ベッドの側部にはいちごの株が植えられるので、その部分は切り抜く等して除き、下に敷設する場合には不透根シートと併用するのが望ましい。
勿論、該浸潤性シート８は上部と下部の双方に敷設するのが好ましいが、経済性を考慮して態様を選択する。
【００１３】
次に、給液管９は、培地上方に設置して培養液を滴下させて必要量を供給するもので、例えば、図２に示す如く、ホース本体の外側に取水口９ａを穿ち、そこからジグザグ型の通路９ｂを形成し、その終端部に排水口９ｃを穿設する点滴部を形成する。
ホース本体から取入口９ａに導かれた水は、ジグザグ型の通路９ｂを流れるので、ホース内水圧が調整されて潅水量が一定となる。
【００１４】
更に、気層空間の下部に溜まった余剰液に対し、その溜まり部に毛管作用で吸い上げ可能な吸水布１０を垂下させて余剰液の吸い上げ機構を形成する。
該吸水布１０は、毛細管現象を惹起させ得る布体で構成し、例えば、浸潤性シート８と同様ポリエステルの長繊維を不織布としたものとすることができる。
該吸水布１０は、浸潤性シート８を下側に敷いて、吸水布１０と連結させると、吸い上げ液が更に拡散して培地への液供給を均一にする。
【００１５】
次に、本実施態様に基づいていちご栽培を行う際の作用を説明する。
先ず、冬期にボイラーから、温湯循環用パイプ７を通していちご培地を適温に維持する。
【００１６】
そして、栽培ベット４に対し、培養液を供給する際、従来の散水又は放水式にあっては、滴下した養液が培地に落とされ、重力に従ってそのまま下方に浸透するから、滴下したところから殆ど拡散しない傾向にあった。
しかし、本発明装置では、給液管９から滴下された養液が、浸潤性シート８に落とされ、それが毛管現象により繊維方向に沿って浸透し、シート全体が浸潤状態となり、更に培地へと養液が浸透していく。
これを、従来装置との比較で試験したのが、図３及び表２である。
【表２】
0003841984.tif 000003
Ａ：給液管から直接培地に滴下させた場合（図３Ａ）
Ｂ：給液管から培地上面に浸潤シートを敷設ものに滴下させた場合（図３Ｂ）この結果、従来のものが給液管の直下の部分に、全体の約１５％が拡散しているに過ぎないのに対し（図３Ａ参照）、本発明装置は１００％培地全体に拡散しており、効率良い拡散が確認された。又、保水量も１３％程度向上している（図３Ｂ参照）。
【００１７】
更に、従来装置にあっては、培地全体に養液を満たす必要性から、若干過剰の養液を供給することとなり、余剰液を生じることが不可避であったが、本発明装置では、上記湿潤シート８によって、養液に均一拡散が図られるから、可及的に少量の養液供給で済む。
加えて、吸水布１０を垂らすと、仮に過剰量の養液を加え、外層シート５上に余剰水が溜まった場合にも、該吸水布１０が毛管現象によりこの余剰水を吸い上げ、培地内へと吸収し、余剰水を零とする。
この吸い上げ状態及び拡散状態を試験したのが、図４及び表３である。
【表３】
0003841984.tif 000004
Ｃ：ベット直下に吸水布を垂下し、余剰水から吸引する場合（図４Ａ）。
Ｄ：ベット下面に浸潤シートを敷設したものと吸水布とを組合せて余剰水から吸引する場合（図４Ｂ）。
この結果、吸水布は、培地１０００ｃｃ当たり２６０ｃｃ以上の吸水量を持つことが確認された。
又、上記浸潤性シート８との組合せにおいては、吸水量は若干の向上をもたらすに過ぎないが、拡散割合は９％から１８％へと大きく割合が向上した（図４Ｂ参照）。
【００１８】
又、該吸水布１０と浸潤性シート８とを組合せた状態での苗の生育と廃液量を、給液管の下で培地の上面に浸潤シートを敷設し、ベット下部に吸水布を施した条件で試験した結果、同様な生育が得られながら、給液量は約半分程度で済み、且つ、廃液量は零となることが確認された。
【００１９】
【実施例１】
ビニールハウス内で地上で約９０ｃｍの高さに、鉄製パイプ４本を約３０メートル程に横架させ、そこに不透根シートとしてポリエステル繊維（東洋紡ＢＫＳ１８２０）を幅約３０ｃｍで高さ１５ｃｍ程度となるよう弛ませてＵ字型の栽培ベットを２個並べて形成し、端部をパッカーで固定した。培地には、クリプトモスＳとパーライト３０％を混合させて装填した。同時に、外層シートとして、高密度ポリエチレンと低密度ポリエチレンの二層としたシート（ダイヤテックス  テルエ−スブラック）を、上記２個の栽培ベットの下部を囲うようにし、最大高さが１０ｃｍ程度となるよう気層空間を形成した。
該気層空間の栽培ベットの下部の不透根シートから外層シートの液溜まり部に向けて約１３ｃｍの長さでポリエステルの不織布（ユニチカ  ラブマット）を垂下した。
そして、栽培ベットの培地内に温湯循環用パイプを通し、ボイラーに連結した。
該栽培ベットの上に湿潤性シートとしてポリエステルの不織布（ユニチカ  ラマット）を敷き、その上方に低密度ポリエチレンで形成したドリップチューブ（ＮＥＴＡＦＩＭ）を配設し、培養液を滴下させた。
その結果、優れた収量を得ると共に、余剰水が零となった。
【００２０】
【発明の効果】
以上の構成に係る本発明は、下記の如き効果を奏する。
【００２１】
（ａ）培養液の給液管からの滴下と浸潤性シートとの組合せにより、培養液の培地への拡散が効率的となり、培地全体に渡って均一な濃度で培養液が供給されると共に、過剰な供給をできるかぎり抑制することができるので、経済的であると共に余剰水の発生をも可及的に少なくする。
【００２２】
（ｂ）上記浸潤性シートに加えて吸水布を垂下せさると、該吸水外層シートに溜まった余剰水を再び培地に戻して培養液として働かせることができ、余剰水の発生を零にすることが可能となり、環境汚染問題を完全に解消することができる。
【図面の簡単な説明】
【図１】本発明装置の栽培ベットを二連式とした場合の模式的側断面図。
【図２】本発明装置の給液部の一態様を示す平面図。
【図３】培地への養液の拡散状態を示す模式的側断面図で、（Ａ）が従来の装置の場合、（Ｂ）が本発明浸潤性シートを培地上面に敷設した場合を示す。
【図４】培地への養液の拡散状態を示す模式的側断面図で、（Ａ）が吸水布だけを垂下したの場合、（Ｂ）が吸水布と培地下面に敷設した浸潤性シートとを組合せた場合を示す。
【図５】従来装置の培地と加温を示す側断面図。
【符号の説明】
１  アーム
２  ベットシート
３  培地
４  栽培ベット
５  外層シート
６  気層空間
７  温湯循環用パイプ
８  浸潤性シート
９  給液管
１０  吸水布
【図１】
0003841984.tif 000005
【図２】
0003841984.tif 000006
【図３】
0003841984.tif 000007
【図４】
0003841984.tif 000008
【図５】
0003841984.tif 000009